(57)【要約】【課題】  専用端末を操作する知識を必要とせず、短時間及び低コストで予約を行うことを可能とする予約システムを提供すること。【解決手段】  本発明における予約システムは、用紙と用紙に記入を行うペンとサーバを備えた予約システムであって、用紙は記入が行われる位置に応じた位置情報を示すパタンが印刷されると共に予約対象情報が視認可能に印刷され、ペンは用紙に記入を行った位置に応じて位置情報を取得しサーバに対して送信する手段を有し、サーバは位置情報を受信する手段と位置情報に応じて予約対象を特定する手段と予約対象の予約が行えるか否かを判定し判定結果情報を生成しペンに対して送信する手段を有し、ペンは更に、サーバから判定結果情報を受信しペンの利用者に対して通知を行う通知手段を有する予約システムである。このような構成により、短時間及び低コストで予約を行うことが可能となる。【選択図】図４
2006277564.tif 000002
【特許請求の範囲】
【請求項１】
用紙と、前記用紙に記入を行うペンと、前記ペンと通信可能に接続されたサーバとを備えた予約システムであって、
前記用紙は、前記ペンにより記入が行われる位置に応じた位置情報を示すパタンが印刷されると共に、予約対象を特定する予約対象情報が視認可能に印刷され、
前記ペンは、前記用紙に記入を行った位置に応じて前記位置情報を取得する手段と、取得した前記位置情報を前記サーバに対して端末を介して若しくは直接に送信する手段を有し、
前記サーバは、前記ペンから送信された前記位置情報を受信する手段と、受信した前記位置情報に応じて予約対象を特定する手段と、特定された予約対象の予約が行えるか否かを判定し判定結果情報を生成する手段と、生成した前記判定結果情報を前記ペンに対して送信する手段を有し、
前記ペンは、更に、前記サーバから端末を介して若しくは直接に前記判定結果情報を受信する手段と、前記判定結果情報に基づいてペンの利用者に対して通知を行う通知手段を有する予約システム。
【請求項２】
前記ペンは当該ペン固有の識別情報を格納する手段と、位置情報を前記識別情報と関連付けて送信する手段を有し、
前記サーバは、前記識別情報と関連付けて前記位置情報を受信する手段と、前記ペンの識別情報を予め登録し格納する記憶手段と、受信した前記位置情報と関連付けられた前記識別情報と、前記記憶手段に格納された前記ペンの識別情報が一致するかを判定する手段と、判定の結果、両者が一致した場合のみ受信した前記位置情報に対応する予約が行えるか否かを判定し判定結果に基づいて結果情報を生成する判定結果に基づいて結果情報を生成する手段を有することを特徴とする請求項１記載の予約システム。
【請求項３】
前記ペンは、更に、受信した前記結果情報に対応する位置情報と前記結果情報受信時に再度取得した位置情報が一致するか否かを判定する手段を有し、前記通知手段は、前記判定する手段による判定の結果、位置情報が一致した場合には受信した前記結果情報に基づいてペンの利用者に対して通知を行い、一致しなかった場合には通知を行わないことを特徴とする請求項１または２に記載の予約システム。
【請求項４】
前記通知手段は、前記ペンの振動によるものであることを特徴とする請求項１、２または３に記載の予約システム。
【請求項５】
前記ペンは、更に、
前記用紙に筆記した手書き情報を取得する手段と、
取得した前記手書き情報を前記サーバに対して送信する手段を有することを特徴とする請求項１乃至４いずれかに記載の予約システム。
【請求項６】
前記ペンは、更に、
前記手書き情報を暗号化する手段と、
暗号化した前記手書き情報を前記サーバに対して送信する手段を有し、
前記サーバは、更に、
暗号化した前記手書き情報を受信する手段と、
受信した前記手書き情報を復号化する手段を有することを特徴とする請求項５に記載の予約システム。
【請求項７】
前記暗号化する手段は、筆記が行われた位置に応じて暗号化レベルを変えて暗号化を行うことを特徴とする請求項６に記載の予約システム。
【請求項８】
前記ペンと前記サーバの通信及び前記サーバと前記表示端末との通信はインターネットを利用することを特徴とする請求項１乃至７いずれかに記載の予約システム。
【請求項９】
前記ペンと前記サーバとの通信は、携帯電話機を介して行われることを特徴とする請求項１乃至８いずれかに記載の予約システム。
【請求項１０】
前記ペンと前記携帯電話機間の通信はBluetooth方式により行われることを特徴とする請求項９記載の予約システム。
【発明の詳細な説明】
【技術分野】
【０００１】
本発明は、予約システムに関するものであり、より詳細には、デジタルペンと用紙を用いた予約システムに関する。
【背景技術】
【０００２】
コンサートやスポーツ観戦、特急電車等の座席予約を主とする予約システムは、ネットワークの普及によりオンライン化が進み、現在はインターネットに接続できる環境があれば様々な場所から予約を行うことが可能となっている。
【０００３】
しかしながら、ネットワークが普及したとはいえ、従来の予約システムではＰＣ（Personal Computer）や携帯電話機などのネットワーク端末を操作する必要があり、利用者に端末を操作する技術が要求されていた。
【０００４】
これに対して、端末を操作する技術を必要とせず、手書き入力で予約を行う予約システムが提案されている（例えば、特許文献１など）。これは、予約を行う者が予約問い合わせ用紙をＦＡＸにて送信すると、座席管理者が、予約済み座席が印刷された用紙をＦＡＸにて予約を行うものに送信する。そして、予約を行うものは、予約可能な範囲を手書き入力により筆記し、再度ＦＡＸを送信するという方法である。
【０００５】
しかしながら、特許文献１に示す方法は、ＦＡＸを用いて情報の送受信を行うため、時間がかかる上に通信費もかかるという問題点があった。
【特許文献１】特開平５−１８９４６６号公報
【発明の開示】
【発明が解決しようとする課題】
【０００６】
このように、手書き入力を利用した予約システムは、時間と通信費がかかり、効率の悪いものであった。また、インターネット等のネットワークを利用した予約システムは、専用の端末を必要とするため、コストがかかる上に専用端末を操作する知識を必要とした。
【０００７】
本発明は、このような問題点を解決するためになされたものであり、専用端末を操作する知識を必要とせず、短時間及び低コストで予約を行うことを可能とする予約システムを提供することを目的とする。
【課題を解決するための手段】
【０００８】
本発明における予約システムは、用紙と、前記用紙に記入を行うペンと、前記ペンと通信可能に接続されたサーバとを備えた予約システムであって、前記用紙は、前記ペンにより記入が行われる位置に応じた位置情報を示すパタンが印刷されると共に、予約対象を特定する予約対象情報が視認可能に印刷され、前記ペンは、前記用紙に記入を行った位置に応じて前記位置情報を取得する手段と、取得した前記位置情報を前記サーバに対して端末を介して若しくは直接に送信する手段を有し、前記サーバは、前記ペンから送信された前記位置情報を受信する手段と、受信した前記位置情報に応じて予約対象を特定する手段と、特定された予約対象の予約が行えるか否かを判定し判定結果情報を生成する手段と、生成した前記判定結果情報を前記ペンに対して送信する手段を有し、前記ペンは、更に、前記サーバから端末を介して若しくは直接に前記判定結果情報を受信する手段と、前記判定結果情報に基づいてペンの利用者に対して通知を行う通知手段を有する予約システムである。このような構成により、即時に予約確認を行うことが可能となり、また、専用端末を操作する知識を必要とせず予約を行うことが可能となる。
【０００９】
前記ペンは当該ペン固有の識別情報を格納する手段と、位置情報を前記識別情報と関連付けて送信する手段を有し、前記サーバは、前記識別情報と関連付けて前記位置情報を受信する手段と、前記ペンの識別情報を予め登録し格納する記憶手段と、受信した前記位置情報と関連付けられた前記識別情報が前記記憶手段に格納された前記ペンの識別情報が一致するかを判定する手段と、判定の結果、両者が一致した場合のみ受信した前記位置情報に対応する予約が行えるか否かを判定し判定結果に基づいて結果情報を生成する判定結果に基づいて結果情報を生成する手段を有することを特徴としてもよい。このようにすることによりセキュリティを強化することが可能となる。
【００１０】
前記ペンは、更に、受信した前記結果情報に対応する位置情報と前記結果情報受信時に再度取得した位置情報が一致するか否かを判定する手段を有し、前記通知手段は、前記判定する手段による判定の結果、位置情報が一致した場合には受信した前記結果情報に基づいてペンの利用者に対して通知を行い、一致しなかった場合には通知を行わないことを特徴としてもよい。このようにすることにより、結果が戻ってくるまでの間に別の予約確認を行った場合、結果が通知されないのでユーザーが予約内容を誤解することを回避できる。
【００１１】
前記通知手段は、前記ペンの振動によるものであることを特徴としてもよい。このようにすることにより、用紙から眼を離すことなく予約の確認を行うことが可能となる。
【００１２】
前記ペンは、更に、前記用紙に筆記した手書き情報を取得する手段と、取得した前記手書き情報を前記サーバに対して送信する手段を有することを特徴としてもよい。このようにすることにより、手書き入力による予約を実現することが可能となる。
【００１３】
前記ペンは、更に、前記手書き情報を暗号化する手段と、暗号化した前記手書き情報を前記サーバに対して送信する手段を有し、前記サーバは、更に、暗号化した前記手書き情報を受信する手段と、受信した前記手書き情報を復号化する手段を有することを特徴としてもよい。このようにすることによりセキュリティを強化することが可能となる。
【００１４】
前記暗号化する手段は、筆記が行われた位置に応じて暗号化レベルを変えて暗号化を行うことを特徴としてもよい。このようにすることにより更にセキュリティを強化することが可能となる。
【００１５】
前記ペンと前記サーバの通信及び前記サーバと前記表示端末との通信はインターネットを利用することを特徴としてもよい。このようにすることにより既存のインターネット回線を利用してコストの削減を図ることが可能となる。
【００１６】
前記ペンと前記サーバとの通信は、携帯電話機を介して行われることを特徴としてもよい。
【００１７】
前記ペンと前記携帯電話機間の通信はBluetooth方式により行われることを特徴としてもよい。
【発明の効果】
【００１８】
本発明によれば、専用端末を操作する知識を必要とせず、短時間及び低コストで予約を行うことを可能とする予約システムを提供することが可能となる。
【発明を実施するための最良の形態】
【００１９】
発明の実施の形態１．
図１は、本発明の実施の形態１における予約システムの全体構成を示す模式図である。本発明における予約システム１は、デジタルペン１１、携帯電話機１３、アノト用紙１５、サーバ２４を備える。携帯電話機１３、サーバ２４はインターネット１０を介して接続されており、互いに通信可能である。また、デジタルペン１１と携帯電話機１３は、無線または有線により接続されており、互いに通信可能である。
【００２０】
デジタルペン１１は、ユーザーが手書き入力により情報を入力するための入力手段である。デジタルペン１１は、携帯電話機１３と無線通信などにより通信可能であり、入力された手書き入力情報を携帯電話機１３に送信する。また、デジタルペン１１は、個別の識別情報を格納しており、格納した個別の識別情報を手書き入力情報と互いに関連付けて携帯電話機１３に送信する。また、デジタルペン１１は、携帯電話機１３をモデムとしてサーバに接続するための情報を設定する手段を有する。ここでの情報は、例えば、接続するインターネットプロバイダの情報等である。
【００２１】
携帯電話機１３は、デジタルペン１１から手書き入力情報を受信し、インターネット１０を介してサーバ２４に対して受信した手書き入力情報を送信するモデムとしての役割を果たす。ここでは携帯電話機としたが、通信機能を備えたＰＤＡ（Personal Digital Assistant）などの携帯端末でもよいし、ＰＣでもよい。また、デジタルペン１１とサーバ２４が直接通信可能であれば、携帯電話機１３はなくてもよい。
【００２２】
アノト用紙１５は、デジタルペン１１により手書き情報を入力するための専用の用紙である。ここでの実施例ではアノト方式により手書き入力情報を記録するため、専用の用紙が必要である。アノト方式については後に説明する。
【００２３】
サーバ２４は、デジタルペン１１に入力された手書き入力情報を受信し、予約の処理を行うサーバであり、市販のＰＣやサーバをそのまま利用することが可能である。また、サーバ２４は、デジタルペン１１に対して予約に必要な情報の送信を行う。受信時にデジタルペン１１の識別情報を認証し、認証したデジタルペン１１から送信された手書き入力情報のみを受信するようにしてもよい。
【００２４】
続いて、手書き入力の方法についてより詳細に説明する。本実施例では、手書き入力はアノト方式により行われる。図２は、本発明におけるデジタルペン１１の構造の概略を示す概略図である。デジタルペン１１は、インクリフィル１１１、圧力センサ１１３、光学モジュール１１５、カメラ１１７、光照射装置１１９、バッテリ１２１、ＣＰＵ１２３、メモリ１２５、クロック１２９、ＵＳＢ（Universal Serial Bus）１３１、無線通信システム１３３、振動子１３５、ＬＥＤ（Light Emitting Diode）１３７を備える。
【００２５】
インクリフィル１１１は、通常の筆記用ペンと同様に、紙にインクを転写することにより筆記結果を記録するインクを保存するものである。圧力センサ１１３は、ユーザーがデジタルペン１１により手書き入力を行っていることを検知する手段であり、手書き入力中は圧力センサが圧力を検知する。
【００２６】
光学モジュール１１５は、光照射装置１１９からの光をカメラ１１７により受光した光学的手段により検出する。カメラ１１７は、光照射装置１１９から照射され、アノト用紙１５により反射した光を受光するための受光装置である。光照射装置１１９は、カメラ１１７により受光するための光を照射する装置である。ここでの光は赤外線を利用するが、カメラ１１７により受光し、光学モジュール１１５により検出可能であれば、赤外線に限らず別の波長の光でもよい。
【００２７】
バッテリ１２１は、デジタルペン１１の各部に電力を供給するための電力供給手段である。ＣＰＵ１２３は、デジタルペン１１を制御するための制御手段である。メモリ１２５は、デジタルペン１１内のデータを記憶するための記憶手段である。
【００２８】
クロック１２９は、手書き入力が行われる時間を計測するための時間計測手段である。ＵＳＢ１３１は、デジタルペン１１により入力された手書き情報を接続した電子機器に転送するためのデータ送信手段である。無線通信システム１３３は、無線通信手段を備えた他の電子機器に対して手書き情報を送信するためのデータ送信手段である。無線通信手段は、ブルートゥース（登録商標）による方式などが用いられるが特に限定されない。ＵＳＢ１３１と無線通信システム１３３は、どちらか一方を備えていればもう一方が備えられていなくても本発明による手書き情報共有システムは動作可能である。
【００２９】
振動子１３５は、振動により情報をユーザーに伝える手段である。ＬＥＤ１３７は、点灯、点滅などにより情報をユーザーに伝える通知手段である。振動子１３５とＬＥＤ１３７は、どちらか一方を備えていればもう一方が備えられてなくてもユーザーに情報を伝えることが可能である。あるいは、ブザー等の音声により通知を行ってもよい。
【００３０】
デジタルペン１１が手書き入力情報を記録するためには、アノト用紙１５に手書き入力を行う必要がある。図３は、アノト用紙１５の構成例を示す図である。アノト用紙１５には、一定の間隔の格子２０３の各交点２０５に外周が接するように同一の直径の点２０１が印刷されている。点２０１は、光学モジュール１１５により検出可能であれば、人間の眼により識別不可能な色で印刷されていてもよい。例えば、カメラ１１７が赤外線カメラである場合、アノト用紙１５全体が赤外線を反射し、点２０１が赤外線を吸収するインクで印刷されていることにより点２０１を光学モジュール１１５により検出可能である。
【００３１】
また、格子２０３は実際に見える必要はなく、架空の格子でもよい。格子２０３の間隔は、短いほど解像度の高い画像を得ることができる。本実施例では、光学モジュール１１５の読み取り精度を考えると０．３ｍｍ程度が好ましい。また、この場合、点２０１の直径は８０ミクロンから１２０ミクロンが好ましい。ただし、これらの値は特に限定されない。
【００３２】
点２０１は、格子２０３の交点２０５から上下左右のいずれかの方向にずれた位置に印刷されている。この上下左右の４方向の情報は２ビットの情報とすることができる。つまり点２０１は１つにつき２ビットの情報を持つことになり、６×６の３６個の交点２０５とその上下左右に位置する点２０１は６×６×２＝７２ビットの情報を持つことになる。アノト用紙１５は、６×６の３６個の交点の領域毎に点２０１の上下左右の並びを変え、位置情報として記録している。
【００３３】
デジタルペン１１は毎秒５０回から１００回カメラ１１７によりアノト用紙１５を撮影し、光学モジュール１１５により点２０１の並びを検出し、検出した並びからアノト用紙１５の位置情報を取得する。このようにしてデジタルペン１１は、ユーザーが手書き入力を行った際にアノト用紙１５のどの位置に記入したかを記録することが可能となる。
【００３４】
アノト用紙１５の左上位置に開始ピジェット２１１と呼ばれる領域が設けられている。ユーザーがデジタルペン１１により開始ピジェット２１１をチェックすると、光学モジュール１１５は、開始ピジェット２１１の位置情報を取得する。デジタルペン１１は、開始ピジェット２１１の位置情報を取得すると以後入力した位置情報を格納または送信を行うようにプログラムされている。このとき、位置情報を送信するか格納するかは予め位置情報に応じて決定されている。
【００３５】
また、アノト用紙１５の右下位置に送信ピジェット２１３と呼ばれる領域が設けられている。ユーザーがデジタルペン１１により送信ピジェット２１３をチェックすると、光学モジュール１１５は、送信ピジェット２１３の位置情報を取得する。デジタルペン１１は、送信ピジェット２１３の位置情報を取得するとデータの送信を行うようにプログラムされており、ＵＳＢ１３１または無線通信システム１３３により接続された携帯電話機１３に手書き入力情報の送信を行う。このようにして、ユーザーはデジタルペン１１により送信ピジェット２１３の領域をチェックすることによりデジタルペン１１に格納された手書き入力情報を接続された携帯電話機１３に送信することが可能となる。
【００３６】
この他にもアノト用紙１５は、点２０１の配置により特殊なコードを配列することにより、様々な情報を入れることが可能となる。例えば、色を指定するピジェットを用意し、その領域に色を指定する情報を入れておけば、そのピジェットをチェックした後の手書き入力情報を指定した色の画像データに変換することも可能である。
【００３７】
続いて、本発明における予約システムの処理内容について説明する。図４は、本発明における予約システムの機能別構成を示すブロック図である。
【００３８】
デジタルペン１１は、結果通知手段１１１０、符号パタン読取・解析手段１１１１、位置情報送信手段１１１２、結果情報受信手段１１１３、位置情報比較手段１１１４、通信手段１１１５を備える。
【００３９】
結果通知手段１１１０は、デジタルペンを利用して予約を行うユーザーに対して通知を行う手段であり、振動子１３５やＬＥＤ１３７により実現される。ユーザーは振動子１３５による振動やＬＥＤ１３７による点滅等により結果を知ることが可能となる。
【００４０】
符号パタン読取・解析手段１１１１は、アノト用紙１５に印刷された点２０１の配置によるコードを読み取り、読み取ったコードの解析を行う手段である。アノト用紙１５に印刷された点２０１の配置によるコードの読み取りは光学モジュール１１５により行われる。また、読み取ったコードの解析は、ＣＰＵ１２３がプログラムを実行することにより行う。
【００４１】
位置情報送信手段１１１２は、ユーザーが選択した予約情報をサーバ２４に送信する手段である。送信はＣＰＵ１２３がメモリ１２５に格納したプログラムを実行することにより行われる。位置情報送信手段１１１２は、送信するデータを選択し、通信手段１１１５に送信を行わせる。
【００４２】
結果情報受信手段１１１３は、位置情報送信手段１１１２により送信した位置情報に基づいてサーバ２４が決定した判定結果情報を受信する手段である。受信はＣＰＵ１２３がメモリ１２５に格納したプログラムを実行することにより行われる。結果情報受信手段１１１３は、通信手段１１１５に受信を行わせる。
【００４３】
位置情報比較手段１１１４は、結果情報受信手段１１１３により受信した結果情報を決定するための位置情報と、判定結果情報受信時に符号パタン読取・解析手段１１１１が読み取った位置情報を比較するための手段である。比較はＣＰＵ１２３がメモリ１２５に格納したプログラムを実行することにより行われる。
【００４４】
通信手段１１１５は、デジタルペン１１がサーバ２４とデータの送受信を行うための手段である。通信はＵＳＢ１３１あるいは無線通信システム１３３により携帯電話機１３を介して行われる。携帯電話機１３とサーバ２４との通信はインターネット１０を介してもよいし、専用の通信網等を利用してもよい。
【００４５】
サーバ２４は、位置情報受信手段２４０、結果情報送信手段２４１、通信手段２４２、照会手段２４３、用紙情報記憶手段２４４、データベース２４５を備える。
【００４６】
位置情報受信手段２４０は、デジタルペン１１から位置情報を受信するための手段である。受信はサーバ２４の備えるＣＰＵがサーバ２４の備えるメモリに格納したプログラムを実行することにより行われる。位置情報受信手段２４０は、通信手段２４２により位置情報の受信を行わせる。
【００４７】
結果情報送信手段２４１は、デジタルペン１１に対して判定結果情報を送信するための手段である。送信はサーバ２４の備えるＣＰＵがサーバ２４の備えるメモリに格納したプログラムを実行することにより行われる。結果情報送信手段２４１は、通信手段２４２により判定結果情報の送信を行わせる。
【００４８】
通信手段２４２は、サーバ２４がデジタルペン１１とデータの送受信を行うための手段である。通信はサーバ２４の備えるモデム等により行われる。
【００４９】
照会手段２４３は、デジタルペン１１から受信した位置情報に基づいて、位置情報に該当する予約の可否を決定するためデータベース２４５に照会する手段である。照会手段２４３は、受信した位置情報を用紙情報記憶手段２４４に格納された用紙情報と比較し、予約内容を決定する。その後、照会手段２４３は、決定した予約内容をデータベース２４５に照会し、予約の可否を決定する。照会手段２４３は、決定した予約の可否を判定結果情報としてデジタルペン１１に対して出力する。
【００５０】
用紙情報記憶手段２４４は、デジタルペン１１から受信した位置情報が用紙のどの位置に該当し、該当した用紙の位置がどのような予約内容であるかについての情報を格納する記憶手段である。情報の格納は、サーバ２４の備えるハードディスク等により行われる。
【００５１】
データベース２４５は、予約に関する情報をデータベースとして格納する記憶手段である。情報の格納は、サーバ２４の備えるハードディスク等により行われる。データベース２４５は、デジタルペン１１から受信した位置情報に基づいて用紙情報記憶手段２４４により決定された予約内容についての照会が行われる。また、予約内容決定時には内容の書き換えも行われる。
【００５２】
続いて、処理の流れについて説明する。図５は、本発明における予約システムの処理の流れを示すシーケンス図である。ここでは、座席の予約を行う場合を例に挙げて説明する。
【００５３】
本実施例におけるアノト用紙の具体例を図６に示す。図６に示すアノト用紙３０は、図３に示すアノト用紙１５と同様に一定の間隔の格子２０３の各交点２０５に外周が接するように同一の直径の点２０１が印刷されている。また、アノト用紙３０は開始ピジェット２１１、送信ピジェット２１３、確認領域２１５、入力領域２１７を備える。開始ピジェット２１１、送信ピジェット２１３は図３に示すアノト用紙１５と同様である。
【００５４】
確認領域２１５は、座席のレイアウトが印刷されており、ユーザーは、確認領域２１５内をチェックすることにより、確認領域２１５内のチェックした位置に印刷されている座席が予約可能であるか否かの確認を行う。
【００５５】
入力領域２１７は、ユーザーが手書き入力を行う領域である。具体的には、確認領域２１５をチェックし、その結果予約が可能であり、ユーザーが予約を実行したいときに予約者情報を手書き入力により入力する。予約者情報の手書き入力が完了すると、ユーザーは、送信ピジェット２１３をチェックし、手書き入力による予約者情報の送信を行う。
【００５６】
次に処理の流れについて具体的に説明する。まず、ユーザーは、デジタルペン１１を用いて、アノト用紙３０の開始ピジェット２１１にチェックを行う（Ｓ１１）。デジタルペン１１は、符号パタン読取・解析手段１１１１により開始ピジェット２１１に印刷されている点のパタンを認識し、サーバ２４への接続を行う（Ｓ１２）。このとき、その他の予約に必要な前処理を行ってもよい。
【００５７】
その後、ユーザーは、デジタルペン１１を用いて確認領域２１５の予約を行いたい位置のチェックを行う（Ｓ１３）。デジタルペン１１は、符号パタン読取・解析手段１１１１により確認領域２１５に印刷されている点のパタンを認識し、認識した点のパタンに基づいてチェックした位置の位置情報を位置情報送信手段１１１２に出力する（Ｓ１４）。
【００５８】
位置情報送信手段１１１２は、入力した位置情報をサーバ２４に対して出力する旨の指示を通信手段１１１５に出力する。通信手段１１１５は、位置情報送信手段１１１２からの指示により、位置情報をサーバ２４に対して送信する。
【００５９】
サーバ２４は、位置情報受信手段２４０により、通信手段２４２に位置情報を受信させる。位置情報受信手段２４０は、デジタルペン１１から位置情報を受信すると、照会手段２４３に受信した位置情報を出力する。
【００６０】
照会手段２４３は、位置情報を受信すると、用紙情報記憶手段２４４を参照し、位置情報に該当する予約対象情報である座席情報を取得する（Ｓ１５）。図７は用紙情報記憶手段２４４の内容の一例を示す図である。用紙情報記憶手段２４４は図７に示すように用紙の識別子情報２４４０、範囲情報２４４１、座席情報２４４２から構成される。
【００６１】
識別子情報２４４０は、用紙毎に用意される固有の識別情報である。範囲情報２４４１は、記入したアノト用紙の領域を示す情報であり、座席情報２４４２と関連付けて記録される。例えば、図７に示す（１０，２０，２０，３０）は、左上の座標位置が（１０，２０）で、右上の座標位置が（２０，３０）である長方形の領域を示す。座席情報２４４２は、範囲情報２４４１の示す領域と対応する座席を示す情報である。例えば、図７に示す（１０，２０，２０，３０）は、「１列Ａ席」を示す領域である。
【００６２】
照会手段２４３は、座席情報を取得すると、取得した座席情報をデータベース２４５に照会し、取得した座席情報に該当する座席の予約が可能か否かを判定し、判定結果に基づいて、判定結果情報を生成する（Ｓ１６）。
【００６３】
図８は、データベース２４５の例を示す図である。データベース２４５は、識別子情報２４５０、予約データベース番号２４５１、予約データベース２４５２を備える。識別子情報２４５０、予約データベース番号２４５１は互いに関連付けて格納されており、識別子情報２４５０に記録された識別子に該当する用紙についての予約情報が、予約データベース番号２４５１に記録されたどの予約データベース番号の予約データベースと対応するかを参照可能である。
【００６４】
予約データベース２４５２は、座席と予約番号を互いに関連付けて格納している。予約番号の「なし」は予約が行われておらず予約可能であることを示す。予約番号は予約者情報に基づいて決定される番号であり、予約番号が記録されている場合、その座席は予約済であることを示す。予約の有無を知るだけでよければ予約番号ではなく、「なし」「あり」だけの１ビット情報による予約フラグとしてもよい。
【００６５】
照会手段２４３は、座席情報を取得すると、取得した座席情報をデータベース２４５に照会し、判定結果情報を生成する。例えば、データベース２４５の内容が図８に示す例の内容であったとすると、１列Ａ席は予約番号がなく、予約は可能であるため判定結果情報は予約可であるという情報になる。必要な判定結果情報が予約可能か不可能かの２種類のみであれば判定結果情報は予約不可なら０、予約可なら１という１ビットのデータでよい。また、予約確認単位を、席、ブロック、時間、日付等複数ビットを割り当て、席は埋まっているがブロック内の別の席は予約可能、としてもよい。
【００６６】
照会手段２４３は、判定結果情報を生成すると生成した判定結果情報を結果情報送信手段２４１に対して出力する。結果情報送信手段２４１は、判定結果情報を受信すると、受信した判定結果情報をデジタルペン１１に対して出力する旨の指示を通信手段２４２に出力する。通信手段２４２は、結果情報送信手段２４１からの指示により、デジタルペン１１に対して送信する（Ｓ１７）。
【００６７】
デジタルペン１１は、結果情報受信手段１１１３により、通信手段１１１５に判定結果情報を受信させる。結果情報受信手段１１１３は、サーバ２４から判定結果情報を受信すると、位置情報比較手段１１１４に受信した判定結果情報を出力する。
【００６８】
位置情報比較手段１１１４は、先ほど位置情報送信手段１１１２により送信した位置情報と、結果情報受信時に符号パタン読取・解析手段１１１１から入力される位置情報の比較を行う（Ｓ１８）。これは、利用者がデジタルペン１１により予約したい座席をチェックしてから、デジタルペン１１が結果情報を受信するまでにある程度の時間が経過してしまい、その間にユーザーが別の座席をチェックしてしまうと、受信した判定結果情報がどちらの座席に対しての判定結果情報であるか分からなくなってしまう危険を防止するためである。
【００６９】
比較の結果（Ｓ１９）、先ほど位置情報送信手段１１１２により送信した位置情報と、判定結果情報受信時に符号パタン読取・解析手段１１１１から入力される位置情報が一致する場合、受信した判定結果情報は当該位置情報に該当する座席についての判定結果情報であると判断してよいので、位置情報比較手段１１１４は、結果通知手段１１１０に対して受信した判定結果情報を出力する。一致しなかった場合は、判定結果情報の通知は行わない。
【００７０】
結果通知手段１１１０は、位置情報比較手段１１１４から結果情報を受信すると、受信した判定結果情報に応じて結果の通知を行う（Ｓ２０）。通知の方法は、振動やＬＥＤの点滅や音など、利用者が認識できる方法であれば何でもよい。例えば、予約可能である場合はデジタルペン１１を振動させ、予約不可能である場合はデジタルペン１１を振動させない、などの方法がある。
【００７１】
このようにして、本発明にかかる予約システムは、専用の端末を操作する知識を必要とせず、ペンを利用することにより予約確認を行うことが可能となる。また、ネットワーク網を利用することにより、時間をかけずに予約確認を行うことが可能となる。更に、サーバとデジタルペンとアノト用紙のみで予約を行うことが可能であり、専用端末を必要としないためコストの削減も期待できる。
【００７２】
発明の実施の形態２．
発明の実施の形態１にかかる方法で予約確認を行った後、実際に予約を行うことができる。発明の実施の形態２にかかる予約確認の方法は発明の実施の形態１と同様であり、ここでは説明を省略する。
【００７３】
利用者は、結果通知手段１１１０からの通知により、チェックした位置の座席が予約可能であるか否かを判断することが可能となる。図９に示すシーケンス図を用いて予約可能である場合に実際に予約を行うときの処理の流れについて説明する。
【００７４】
チェックした位置の座席が予約可能であり、ユーザーが予約を行いたい場合、ユーザーは、アノト用紙３０の入力領域２１７に手書き入力により予約者情報を入力する（Ｓ２１）。このとき記入する予約者情報は、ユーザーの氏名、住所、支払い方法等の予約に必要な情報である。必要に応じてその他の情報を加えてもよいし、不要な情報は削除してもよい。
【００７５】
このとき、符号パタン読取・解析手段１１１１は、ユーザーの入力した予約者情報を格納する（Ｓ２２）。符号パタン読取・解析手段１１１１は、入力が行われた位置が確認領域２１５の場合は直ちに位置情報を送信するが、入力領域２１７に手書き入力が行われた場合は、すぐに送信はせずに手書き情報として予約者情報を格納する。
【００７６】
送信を行うか、格納するかの決定はメモリ１２５に格納された情報により判断する。例えば、入力領域２１７に該当する位置情報をメモリ１２５に格納しておき、符号パタン読取・解析手段１１１１の認識した位置情報がメモリ１２５に格納された位置情報に該当した場合は、送信を行わない、としてもよい。また、逆に、直ちに送信を行う位置情報をメモリ１２５に格納するようにしてもよい。
【００７７】
予約者情報の入力が完了すると、ユーザーは、送信ピジェット２１３をチェックする（Ｓ２３）。デジタルペン１１は、符号パタン読取・解析手段１１１１により開始ピジェット２１１に印刷されている点のパタンを認識し、通信手段１１１５により格納された予約者情報の送信を行う（Ｓ２４）。このとき、予約者情報を暗号化して送信することにより、セキュリティの向上を図ることが可能である。また、予約者情報の内容に応じて暗号化のレベルを変えるようにしてもよい。
【００７８】
暗号化の方法については複数考えられるが、どの方法を用いてもよい。例えば、デジタルペン１１とサーバ２４がインターネット１０を介して接続されている場合は、ＳＳＬ（Secure Socket Layer）プロトコルを利用して暗号化を行うのが好ましい。また、デジタルペン１１とサーバ２４の接続を、携帯電話機１３を介して行い、デジタルペン１１と携帯電話機１３がブルートゥース（登録商標）方式で無線接続されている場合は、デジタルペン１１と携帯電話機１３間のデータ送信はブルートゥース規格に基づく暗号化を行い、暗号化したデータを送信することが好ましい。
【００７９】
また、暗号化レベルを変更することが可能な暗号化方式を用いた場合、予約情報の内容に応じて暗号化レベルを変更することも可能である。例えば、予約情報の支払い方法として入力する情報にクレジットカードの番号が含まれる場合は、クレジットカードの番号については暗号化レベルを上げて暗号化を行い、それ以外については通常の暗号化を行い、暗号化した予約情報を送信する。このようにすることにより、重要な情報の送受信時の安全性を高めることが可能となる。
【００８０】
サーバ２４は、通信手段２４２により予約者情報を受信すると、データベース２４５に先ほど送信した位置情報に基づいた座席と関連付けて受信した予約者情報を格納する（Ｓ２５）。このようにして、座席の予約が完了となる。以後、別のユーザーが当該システムを利用して同じ座席の予約を行おうとしても、データベース２４５に予約者情報が格納されているため、照会手段２４３により予約不可能という結果情報が生成されるため、同じ座席の予約を行うことはできない。
【００８１】
サーバ２４がデータベース２４５に予約者情報の格納を完了すると、サーバ２４内の結果情報送信手段２４１は、デジタルペン１１に対して予約完了を示す完了情報を送信する旨の指示を通信手段２４２に出力する。通信手段２４２は、結果情報送信手段２４１からの指示により、デジタルペン１１に対して完了情報を送信する（Ｓ２６）。
【００８２】
デジタルペン１１は、結果情報受信手段１１１３により、通信手段１１１５に位置情報を受信させる。結果情報受信手段１１１３は、サーバ２４から完了情報を受信すると、結果通知手段１１１０に予約完了の旨の通知を行う（Ｓ２７）。通知の方法は、振動やＬＥＤの点滅や音など、利用者が認識できる方法であれば何でもよい。
【００８３】
このようにして、本発明にかかる予約システムは、専用の端末を操作する知識を必要とせず、ペンを利用することにより予約を行うことが可能となる。また、ネットワーク網を利用することにより、時間をかけずに予約を行うことが可能となる。更に、サーバとデジタルペンとアノト用紙のみで予約を行うことが可能であり、専用端末を必要としないためコストの削減も期待できる。
【００８４】
その他の発明の実施の形態．
上述の例では、サーバ２４は１台のサーバとして処理を行ったが、これを機能別に複数台のサーバで行うようにしてもよい。
【図面の簡単な説明】
【００８５】
【図１】本発明における予約システムの全体構造を示す模式図である。
【図２】本発明におけるデジタルペンの構造を示すブロック図である。
【図３】本発明におけるアノト用紙の構造を示すブロック図である。
【図４】本発明における予約システムの機能構成を示すブロック図である。
【図５】本発明における予約システムの処理の流れを示すシーケンス図である。
【図６】本発明におけるアノト用紙の具体的な構成例を示す図である。
【図７】本発明における用紙情報の具体的な構成例を示す図である。
【図８】本発明におけるデータベースの具体的な構成例を示す図である。
【図９】本発明における予約システムの処理の流れを示すシーケンス図である。
【符号の説明】
【００８６】
１０      インターネット
１１      デジタルペン
１３      携帯電話機
１５      アノト用紙
２４      サーバ
３０      アノト用紙
１１１    インクリフィル
１１３    圧力センサ
１１５    光学モジュール
１１７    カメラ
１１９    光照射装置
１２１    バッテリ
１２３    ＣＰＵ
１２５    メモリ
１２９    クロック
１３１    ＵＳＢ
１３３    無線通信システム
１３５    振動子
１３７    ＬＥＤ
２０１    点
２０３    格子
２０５    交点
２１１    開始ピジェット
２１３    送信ピジェット
２１５    確認領域
２１７    入力領域
２４０    位置情報受信手段
２４１    結果情報送信手段
２４２    通信手段
２４３    照会手段
２４４    用紙情報記憶手段
２４５    データベース
１１１０  結果通知手段
１１１１  符号パタン読取・解析手段
１１１２  位置情報送信手段
１１１３  結果情報受信手段
１１１４  位置情報比較手段
１１１５  通信手段
２４４０  識別子情報
２４４１  範囲情報
２４４２  座席情報
２４５０  識別子情報
２４５１  予約データベース番号
２４５２  予約データベース
【図１】
2006277564.tif 000003
【図２】
2006277564.tif 000004
【図３】
2006277564.tif 000005
【図４】
2006277564.tif 000006
【図５】
2006277564.tif 000007
【図６】
2006277564.tif 000008
【図７】
2006277564.tif 000009
【図８】
2006277564.tif 000010
【図９】
2006277564.tif 000011